(57)【要約】【課題】  簡単な構成で、ユーザが手間をかけずともファクシミリ送信が正常に行われたことをユーザが知ることが可能なファクシミリ装置およびシステムを提供する。【解決手段】  端末Ａは端末Ｂに対してファクシミリ送信を行うと、端末Ｂはファクシミリ受信から所定時間以内に端末Ａに対して発呼を行う。端末Ａはファクシミリ送信が行われてから所定時間以内に端末Ｂからの着信があると判定すると、表示部にファクシミリ送信が正常に終了した旨を表示する。【選択図】図１
2009049748.tif 000002
【特許請求の範囲】
【請求項１】
ファクシミリ送信後の所定時間以内にファクシミリ送信した相手先からの着信があると、ファクシミリ送信が成功又は完了した旨の報知を行うことを特徴とするファクシミリ装置。
【請求項２】
ファクシミリ送信後の所定時間以内にファクシミリ送信した相手先からのファクシミリ受信があると、ファクシミリ送信が成功又は完了した旨の報知を行うことを特徴とするファクシミリ装置。
【請求項３】
回線と接続され回線からの着信信号と発呼側電話番号を検出する検出手段と、画情報の送信を行う送信手段と、当該送信手段による画情報の送信から所定時間を計時する計時手段と、前記送信手段が画情報を送信した相手側の電話番号を格納する格納手段と、報知手段と、
前記送信手段が画情報の送信を行うと、前記計時手段が所定時間の計時を開始し、前記計時手段が所定時間の計時を行うまでに前記検出手段が前記格納手段に格納されている電話番号からの着信を検出したと判定すると、画情報の送信が成功又は完了した旨の報知を行うように前記報知手段を制御する制御手段と、を有することを特徴とするファクシミリ装置。
【請求項４】
回線と接続され回線からの着信信号と発呼側電話番号を検出する検出手段と、画情報の送信を行う送信手段と、当該送信手段による画情報の送信から所定時間を計時する計時手段と、前記送信手段が画情報を送信した相手側の電話番号を格納する格納手段と、報知手段と、
前記送信手段が画情報の送信を行うと、前記計時手段が所定時間の計時を開始し、前記計時手段が所定時間の計時を行うまでに前記検出手段が前記格納手段に格納されている電話番号からの着信信号を所定回数検出したと判定すると、画情報の送信が成功又は完了した旨の報知を行うように前記報知手段を制御する制御手段と、を有することを特徴とするファクシミリ装置。
【請求項５】
回線と接続され回線からの着信信号と発呼側電話番号を検出する検出手段と、画情報の送信を行う送信手段と、当該送信手段による画情報の送信から所定時間を計時する計時手段と、前記送信手段が画情報を送信した相手側の電話番号を格納する格納手段と、報知手段と、
前記送信手段が画情報の送信を行うと、前記計時手段が所定時間の計時を開始し、前記計時手段が所定時間の計時を行うまでに前記検出手段が前記格納手段に格納されている電話番号からの着信信号を予め定められた回数以下検出したと判定すると、画情報の送信が成功又は完了した旨の報知を行うように前記報知手段を制御する制御手段と、を有することを特徴とするファクシミリ装置。
【請求項６】
回線と接続され回線からの着信信号と発呼側電話番号を検出する検出手段と、画情報の送信を行う送信手段と、当該送信手段による画情報の送信から所定時間を計時する計時手段と、前記送信手段が画情報を送信した相手側の電話番号を格納する格納手段と、報知手段と、
前記送信手段が画情報の送信を行うと、前記計時手段が第１の所定時間の計時を開始し、前記計時手段が前記第１の所定時間の計時を行うまでに前記検出手段が前記格納手段に格納されている電話番号からの着信が第２の所定時間の間継続して検出したと判定すると、画情報の送信が成功又は完了した旨の報知を行うように前記報知手段を制御する制御手段と、を有することを特徴とするファクシミリ装置。
【請求項７】
ファクシミリ送信を行う第１ファクシミリ装置と、当該第１ファクシミリ装置からの画像を受信すると前記第１ファクシミリ装置へ発呼を行う第２ファクシミリ装置とからなるシステムであり、
前記第１ファクシミリ装置は、ファクシミリ送信後の所定時間以内に前記第２ファクシミリ装置からの着信があると、ファクシミリ送信が成功又は完了した旨の報知を行い、一方、前記第２ファクシミリ装置は、前記第１ファクシミリ装置からのファクシミリ受信後自動的に前記第１ファクシミリ装置に発呼を行うことを特徴とするシステム。
【請求項８】
ファクシミリ送信を行う第１ファクシミリ装置と、当該第１ファクシミリ装置からの画像を受信すると前記第１ファクシミリ装置へ発呼を行う第２ファクシミリ装置とからなるシステムであり、
前記第１ファクシミリ装置は、ファクシミリ送信後の所定時間以内に前記第２ファクシミリ装置からの予め定められた時間の間継続して着信があると、ファクシミリ送信が成功又は完了した旨の報知を行い、一方、前記第２ファクシミリ装置は、前記第１ファクシミリ装置からのファクシミリ受信後自動的に前記第１ファクシミリ装置に予め定められた時間の間継続して発呼を行うことを特徴とするシステム。
【請求項９】
ファクシミリ送信を行う第１ファクシミリ装置と、当該第１ファクシミリ装置からの画像を受信すると前記第１ファクシミリ装置へ発呼を行う第２ファクシミリ装置とからなるシステムであり、
前記第１ファクシミリ装置は、ファクシミリ送信後の所定時間以内に前記第２ファクシミリ装置からの所定回数の着信信号があると、ファクシミリ送信が成功又は完了した旨の報知を行い、一方、前記第２ファクシミリ装置は、前記第１ファクシミリ装置からのファクシミリ受信後自動的に前記第１ファクシミリ装置に前記所定回数の発呼信号を送信することを特徴とするシステム。
【発明の詳細な説明】
【技術分野】
【０００１】
本発明はファクシミリ装置及びそのファクシミリ装置を用いたシステムに関する。
【背景技術】
【０００２】
通常のファクシミリ装置では、送信側のユーザが原稿を相手先にファクシミリ送信した後に確実に相手先に原稿が送信されたか否かを確認する為には、送信側のユーザがファクシミリ送信後に送信相手先に対して電話をかけ、相手先にファクシミリを送ったが届いたか否か問い合わせるしか方法がなかった。
この為、原稿が確実に相手側に届いたか否かを確認するには人手による手間がかかるという問題があった。又、このような問題を解決する為に様々な技術が提案されているが、例えば特許文献１では、送信側がファクシミリ送信を完了すると、トーキトランクがこのファクシミリ装置の近くに載置されている電話装置に対して送信が完了したことを通知し、一方、受信側がファクシミリ受信を完了すると、トーキトランクがこのファクシミリ装置の近くに載置されている電話装置に対して受信が完了したことを通知する技術が記載されている。
【特許文献１】特開平２−２９１７６０号公報（特に第２頁右上欄下から２行目〜第３頁左上欄下から２行目及び第１図）。
【発明の開示】
【発明が解決しようとする課題】
【０００３】
しかしながら特許文献１に記載の技術では、特許文献１の第１図に記載されているようにファクシミリ装置の他にスイッチ部、中央制御装置部、２台のトーキトランク等が必要となり、システムの構成が複雑で高価なものになるという問題がある。
【０００４】
又、特許文献１に記載の技術では、構内のみで使用されるものであり、一般の公衆回線で使用されるものではない為、一般の公衆回線において特許文献１の技術を使用し、ファクシミリ送信側がファクシミリ送信が無事に完了したことを確認するためにいちいち電話による発呼を行うといった問題を回避することができない。
【課題を解決するための手段】
【０００５】
本発明はこのような課題を解決する為のものであり、簡単な構成で、ファクシミリ送信側が正常にファクシミリ送信できたか否かを確認することができるファクシミリ装置及びそのファクシミリ装置を用いたシステムを提供することを目的としている。
請求項１記載のファクシミリ装置は、ファクシミリ送信後の所定時間以内にファクシミリ送信した相手先からの着信があると、ファクシミリ送信が成功又は完了した旨の報知を行うことを特徴とする。
請求項２記載のファクシミリ装置は、ファクシミリ送信後の所定時間以内にファクシミリ送信した相手先からのファクシミリ受信があると、ファクシミリ送信が成功又は完了した旨の報知を行うことを特徴とする。
請求項３記載のファクシミリ装置は、回線と接続され回線からの着信信号と発呼側電話番号を検出する検出手段と、画情報の送信を行う送信手段と、当該送信手段による画情報の送信から所定時間を計時する計時手段と、前記送信手段が画情報を送信した相手側の電話番号を格納する格納手段と、報知手段と、前記送信手段が画情報の送信を行うと、前記計時手段が所定時間の計時を開始し、前記計時手段が所定時間の計時を行うまでに前記検出手段が前記格納手段に格納されている電話番号からの着信を検出したと判定すると、画情報の送信が成功又は完了した旨の報知を行うように前記報知手段を制御する制御手段と、を有することを特徴とする。
請求項４記載のファクシミリ装置は、回線と接続され回線からの着信信号と発呼側電話番号を検出する検出手段と、画情報の送信を行う送信手段と、当該送信手段による画情報の送信から所定時間を計時する計時手段と、前記送信手段が画情報を送信した相手側の電話番号を格納する格納手段と、報知手段と、前記送信手段が画情報の送信を行うと、前記計時手段が所定時間の計時を開始し、前記計時手段が所定時間の計時を行うまでに前記検出手段が前記格納手段に格納されている電話番号からの着信信号を所定回数検出したと判定すると、画情報の送信が成功又は完了した旨の報知を行うように前記報知手段を制御する制御手段と、を有することを特徴とする。
請求項５記載のファクシミリ装置は、回線と接続され回線からの着信信号と発呼側電話番号を検出する検出手段と、画情報の送信を行う送信手段と、当該送信手段による画情報の送信から所定時間を計時する計時手段と、前記送信手段が画情報を送信した相手側の電話番号を格納する格納手段と、報知手段と、前記送信手段が画情報の送信を行うと、前記計時手段が所定時間の計時を開始し、前記計時手段が所定時間の計時を行うまでに前記検出手段が前記格納手段に格納されている電話番号からの着信信号を予め定められた回数以下検出したと判定すると、画情報の送信が成功又は完了した旨の報知を行うように前記報知手段を制御する制御手段と、を有することを特徴とする。
請求項６記載のファクシミリ装置は、回線と接続され回線からの着信信号と発呼側電話番号を検出する検出手段と、画情報の送信を行う送信手段と、当該送信手段による画情報の送信から所定時間を計時する計時手段と、前記送信手段が画情報を送信した相手側の電話番号を格納する格納手段と、報知手段と、前記送信手段が画情報の送信を行うと、前記計時手段が第１の所定時間の計時を開始し、前記計時手段が前記第１の所定時間の計時を行うまでに前記検出手段が前記格納手段に格納されている電話番号からの着信が第２の所定時間の間継続して検出したと判定すると、画情報の送信が成功又は完了した旨の報知を行うように前記報知手段を制御する制御手段と、を有することを特徴とする。
請求項７記載のシステムは、ファクシミリ送信を行う第１ファクシミリ装置と、当該第１ファクシミリ装置からの画像を受信すると前記第１ファクシミリ装置へ発呼を行う第２ファクシミリ装置とからなるシステムであり、前記第１ファクシミリ装置は、ファクシミリ送信後の所定時間以内に前記第２ファクシミリ装置からの着信があると、ファクシミリ送信が成功又は完了した旨の報知を行い、一方、前記第２ファクシミリ装置は、前記第１ファクシミリ装置からのファクシミリ受信後自動的に前記第１ファクシミリ装置に発呼を行うことを特徴とする。
請求項８記載のシステムは、ファクシミリ送信を行う第１ファクシミリ装置と、当該第１ファクシミリ装置からの画像を受信すると前記第１ファクシミリ装置へ発呼を行う第２ファクシミリ装置とからなるシステムであり、前記第１ファクシミリ装置は、ファクシミリ送信後の所定時間以内に前記第２ファクシミリ装置からの予め定められた時間の間継続して着信があると、ファクシミリ送信が成功又は完了した旨の報知を行い、一方、前記第２ファクシミリ装置は、前記第１ファクシミリ装置からのファクシミリ受信後自動的に前記第１ファクシミリ装置に予め定められた時間の間継続して発呼を行うことを特徴とする。
請求項９記載のシステムは、ファクシミリ送信を行う第１ファクシミリ装置と、当該第１ファクシミリ装置からの画像を受信すると前記第１ファクシミリ装置へ発呼を行う第２ファクシミリ装置とからなるシステムであり、前記第１ファクシミリ装置は、ファクシミリ送信後の所定時間以内に前記第２ファクシミリ装置からの所定回数の着信信号があると、ファクシミリ送信が成功又は完了した旨の報知を行い、一方、前記第２ファクシミリ装置は、前記第１ファクシミリ装置からのファクシミリ受信後自動的に前記第１ファクシミリ装置に前記所定回数の発呼信号を送信することを特徴とする。
【発明の効果】
【０００６】
本発明は、ファクシミリ装置以外に特別な装置を用いなくとも、ファクシミリ装置の送信側が、正常にファクシミリ送信ができたことを知ることができる為、ファクシミリ装置を用いたシステムが複雑で大きなものになることを回避することができるだけでなく、ファクシミリ装置とそのシステムにかかる費用を抑えることができる。
又、ファクシミリ送信側のユーザがファクシミリ送信後に電話をかけるといった面倒な操作をせずとも、ファクシミリ送信が正常に行われたことを知ることができる。
【０００７】
更に、特許文献１に記載の技術では構内での使用しかできないが、本発明は、網側に何ら新しい機能を付加せずとも本発明のファクシミリ装置を網に繋げるだけで実現できる為、構内だけでなく一般回線間と広い範囲で使用できる。
【実施例】
【０００８】
図１は本発明を適用してなるファクシミリ装置を用いたシステムブロック図である。図１において、端末Ａと端末Ｂは網（公衆回線）を介して接続されている。本発明の概略をまず説明すると、まず、端末Ａが端末Ｂに対してファクシミリ送信を行うと共に送信した相手先のファクシミリ番号（又はファクシミリ番号に対応する電話番号）をメモリに一時的に格納する。又、端末Ａは所定時間のカウントを開始する。一方、端末Ｂ側は端末Ａからの画像を受信すると共に端末Ａのファクシミリ番号をメモリに一時的に格納する。又、端末Ｂが端末Ａからのファクシミリ受信を完了すると、メモリに一時的に格納した端末Ａのファクシミリ番号に対応する電話番号を電話帳メモリから読み出し端末Ａの電話番号に向け発呼する。端末Ａは所定時間のカウントを終了するまでに端末Ｂからの電話呼出を受け付けると、ファクシミリ送信が正常に行われたと判定し、端末Ａの表示部に「ファクシミリ送信正常終了」という文字を表示させる。
図２は、本発明を適用してなるファクシミリ装置のブロック図である。又、図３は図２のブロック図に示すファクシミリ機能制御装置１の機能ブロックを示す図である。
【０００９】
以下に図２と図３に示す各機能ブロックについて詳細に説明する。この実施例にかかるファクシミリ装置は、内部にＣＰＵ（Ｃｅｎｔｏｒａｌ  Ｐｒｏｃｅｓｓｉｎｇ  Ｕｎｉｔ）、ＲＡＭ（Ｒａｎｄｏｍ  Ａｃｃｅｓｓ  Ｍｅｍｏｒｙ）などのワークメモリやレジスタなどを有し、各種ファクシミリ機能動作を司るファクシミリ機能制御装置１を備える。このファクシミリ機能制御装置１は、ＲＯＭ（Ｒｅａｄ  Ｏｎｌｙ  Ｍｅｍｏｒｙ）２と接続され、ＲＯＭ２に予め格納されている制御プログラムなどのプログラムに基づいて動作し、後述する各回路の動作を制御する。ファクシミリ機能制御装置１と各回路はバスにより接続されている。また、このファクシミリ機能制御装置１は、上記ＲＯＭ２に格納されているプログラムに基づいて、以下で説明する各種ファクシミリ機能の動作を行う。すなわち、ＲＯＭ２から読み出されたプログラムに基づき、ファクシミリ機能である符号化・復号化処理、モデムの変復調処理などの処理動作を行う各演算処理が行われる。
【００１０】
ファクシミリ機能制御装置１に接続される電話帳メモリ３は、不揮発性メモリで構成され、例えば、書き換え可能なＥＥＰＲＯＭ（Ｅｌｅｃｔｒｉｃａｌｌｙ  Ｅｒａｓａｂｌｅ  Ｐｒｏｇｒａｍｍａｂｌｅ  Ｒｅａｄ  Ｏｎｌｙ  Ｍｅｍｏｒｙ）からなり、相手先の氏名と、この氏名に対応する電話番号及び／或いはＦＡＸ番号とを複数件分、５０音別あるいはＡＢＣ順で格納される。
【００１１】
ファクシミリ機能制御装置１に接続される操作部４は、ダイヤル入力や文字入力を行う為のテンキー、上記電話帳メモリ３に格納された相手先を選択する為の選択キー（上・下キー）、通話目的の発呼や、ファクシミリ送信開始指示や、後述する音声認識の動作で使用する２つのフラグ等を設定するための各種ファンクションキーを有する。この操作部４を用いて、ユーザが相手先の氏名と、この氏名に対応する電話番号及び／或いはＦＡＸ番号を入力し、ファクシミリ機能制御装置１は、入力されたこれらデータを電話帳メモリ３に与え、電話帳メモリ３にこれらデータが格納され保存される。
【００１２】
ファクシミリ機能制御装置１に接続される表示部５は、例えば、液晶表示装置からなり、上記操作部４から入力された電話番号や、上記電話帳メモリ３に格納された相手先氏名や、該相手先氏名に対応する電話番号及びファックス番号等を表示する。尚、着信時に発呼側から電話番号の情報が送られてきた際には、送られてきた電話番号又は、この電話番号が上記電話帳メモリ３に格納されているときには上記電話番号に対応する相手先氏名を表示する。又、ファクシミリ送信が正常に終了したことを示すメッセージ等も表示する。
【００１３】
ファクシミリ機能制御装置１に接続される印字部６は、サーマルプリンタ、インクジェットプリンタやレーザプリンタで構成され、送信されてきたイメージデータあるいは後述する読取部７で読み取ったイメージデータを印字し、出力する。
【００１４】
ファクシミリ機能制御装置１に接続される読取部７は、例えばＣＣＤ（Ｃｈａｒｇｅ  Ｃｏｕｐｌｅｄ  Ｄｅｖｉｃｅ）等からなる光学的読取装置を有しており、原稿上に描かれた画情報を読み取ると共に、読み取るべき原稿の有無（読取位置への原稿のセット状態）を検出する。
【００１５】
ハンドセット８は、マイク８１とスピーカ８２とで構成され、ハンドセット８はクロスポイントＩＣ回路１１を介して回線２０に接続される。このハンドセット８のオンフック、オフフックは、フック検出部１８で検出する。ここで、オンフック状態とは、ハンドセット８を装置にセットした状態、オフフック状態とはハンドセット８を装置から取り外した状態をいう。更に、この実施例においては、ハンズフリー機能による通話を行う場合には、ハンズフリー機能を使用するためのファンクションキーを押下したときにもオフフック状態という。
フック検出部１８は、ハンドセット８のオンフック、オフフック状態を検出し、そのフック状態をファクシミリ機能制御装置１に知らせる。ファクシミリ機能制御装置１は、フック検出部１８からの出力に基づいて、リレー駆動回路１３を制御し、スイッチ１２の切り替えを制御して回線２０を閉結または開放させる。
【００１６】
クロスポイントＩＣ回路１１は、ファクシミリ機能制御装置１の制御に基づいて、回線２０、ハンドセット８、ＤＡＣ回路１５間の信号経路の切り替えを行うものである。このクロスポイントＩＣ回路１１は、例えば、ハンドセット８からの音声入力をＤＡＣ回路１５を介してファクシミリ機能制御装置１内に入力したり、ハンドセット８からの音声信号を回線２０に与えたり、また、回線２０からの音声信号をハンドセット８へ与えるなど信号経路の切り替えを行う。
【００１７】
ＤＡＣ回路１５は、クロスポイントＩＣ回路１１から与えられたアナログの音声信号をデジタル信号に変換して、ファクシミリ機能制御装置１に与え、また、ファクシミリ機能制御装置１からのデジタル信号をアナログ信号に変換し、クロスポイントＩＣ回路１１を介して、ハンドセット８のスピーカ８２や本体のスピーカ１６等へアナログ音声信号を与える。本体に設けられたスピーカ１６、マイク１７は、操作部４のキー操作により、ハンズフリー動作による送受話動作を行う場合に用いられる。ハンズフリー動作による送受話動作は、回線２０から入力された音声信号が、スイッチ１２クロスポイントＩＣ回路１１、ＤＡＣ回路１５を経てファクシミリ機能制御装置１に入力され、ファクシミリ機能制御装置１内のアンプで増幅され、ＤＡＣ回路１５クロスポイントＩＣ回路１１を介してスピーカ１６から出力される。一方、マイク１６から入力された音声信号は、クロスポイントＩＣ回路１１、ＤＡＣ回路１５を経てファクシミリ機能制御装置１内に入力され、ファクシミリ機能制御装置１内でゲインを調整した後、ＤＡＣ回路１５、クロスポイントＩＣ回路１１、スイッチ１２を介して回線２０へと出力される。
記憶部９は、書き換え可能な記憶装置で構成され、例えばＳＲＡＭ（Ｓｔａｔｉｃ  Ｒａｎｄｏｍ  Ａｃｃｅｓｓ  Ｍｅｍｏｒｙ）などの半導体メモリからなり、ファクシミリ受信した際の送信側のファクシミリ番号（又は電話番号）を一時的に格納する領域や、ファクシミリ送信した際の相手側のファクシミリ番号（又は電話番号）を一時的に格納する領域等を有している。
【００１８】
着信検出部１４は、回線２０からの着信信号の有無を検出し、その結果をファクシミリ機能制御装置１に通知する。
【００１９】
上記したように、クロスポイントＩＣ回路１１は、ファクシミリ機能制御装置１の制御の下でハンドセット８をスイッチ１２側又は上記ＤＡＣ回路１５側へ切換接続する。
【００２０】
次に、ファクシミリ機能制御装置１の構成につき図２を参照して説明する。ファクシミリ機能制御装置１は、上述したように、ＲＯＭ２から読み出されたプログラムに基づき、ファクシミリ機能である符号化・復号化処理、モデムの変復調処理などの処理動作を行う各演算処理が行われる。
【００２１】
ファクシミリ機能制御装置１は、図２に示すように、全体を制御するためのＣＰＵ１０１を備え、Ｉ／Ｏポート１０２を介してＲＯＭ２から与えられるプログラムに基づき、各種動作における処理部を構成する。Ｉ／Ｏポート１０２は、複数の入力端子と複数の出力端子を備え、このＩ／Ｏポート１０２を介して前述した各回路とファクシミリ機能制御装置１が接続される。
【００２２】
ファクシミリ機能制御装置１の画処理部１０３は、ファクシミリ機能制御装置１に接続された読取部７を駆動するためのクロック信号の送出、画情報の入出力、画情報の２値化、多値化処理を行う。読取部７からＩ／Ｏポート１０２を介して入力された画信号は画処理部１０３から符号化・復号化部１０７に与えられ、符号化・復号化部１０７にて、ＭＨ、ＭＲ、ＭＭＲなどの圧縮信号に符号化され、モデム１０８を介して送信処理動作を経て回線に送出される。また、コピー動作時には、読取部７からＩ／Ｏポート１０２を介して入力された画信号は画処理部１０３から印字制御部１０４を介して印字部６に与えられ、印字部７で画情報が印字される。
【００２３】
印字制御部１０４は、印字部６を駆動するためのクロック信号の送出、印字部６への画情報の送出を行う。
【００２４】
計時部１０５は、後述するように制御動作に必要となる各種時間を測定するものであり、測定した各時間が記憶部９へ与えられ、記録される。又、計時部１０５はタイマＡ〜タイマＤの４つのタイマを有しており、計時部１０５はファクシミリ送信する際にはタイマＡとタイマＢを起動し、ファクシミリ受信する際にはタイマＣとタイマＤを起動させる。
リンガー音発生部１０６は、呼び出し音を生成するものであり、上記着信検出部１４が回線２０からの着信信号を検出した際に、呼び出し音を生成し、ＤＡＣ回路１５に呼び出し音を与え、クロスポイントＩＣ回路１１を介してスピーカ１６へ呼出音を送出する。
符号化・復号化部１０７は、送信すべき画信号をＭＨ、ＭＲ、ＭＭＲなどの圧縮信号に符号化するとともに、受信した圧縮信号を元の画信号に復号化する。
モデム１０８は、回線２０からスイッチ１２、クロスポイントＩＣ回路１１、ＤＡＣ回路１５を経て入力されるファクシミリ制御信号（ＣＮＧ信号、ＣＦＤ信号、ＤＩＳ信号等）を検出する機能と、上記制御信号をＤＡＣ回路１５、クロスポイントＩＣ回路１１、スイッチ１２を経て回線２０へ送出する機能と、画情報の変復調を行う機能と、着信時に交換器（図示せず）から送られてくる発呼側の電話番号やファクシミリ番号を検出する機能と、を有している。
【００２５】
上記したように、クロスポイントＩＣ回路１１は、ファクシミリ機能制御装置１の制御の下で回線２０をモデム１０８側、ハンドセット８側、上記モデム１０８側又はハンドセット８側のいずれのラインとも接続しない状態に切換接続する。尚、上記クロスポイントＩＣ回路１１は、待機状態の際には、ハンドセット８をスイッチ１２側へ接続している。
【００２６】
ダイヤラ１０９は、発呼時にダイヤル信号を生成するもので、ダイヤル信号をＤＡＣ回路１５、クロスポイントＩＣ回路１１、スイッチ１２を経て回線２０へ送出する。
【００２７】
次に本実施例の動作について以下に説明する。図４は本発明を適用してなる実施例装置であるファクシミリ装置のファクシミリ送信時の動作を示すフロー図である。
【００２８】
まずＳ１ステップにおいて、ファクシミリ機能制御装置１は操作部４からファクシミリの送信指示があると判定するとＳ２ステップへ処理を進め、Ｓ２ステップにおいて、読取部７とモデム１０８を制御することによりファクシミリ送信処理を行なう。
【００２９】
続くＳ３ステップでは、ファクシミリ機能制御装置１は相手側のファクシミリ番号に対応する電話番号を電話帳メモリ３から読み出し記憶部９に一時的に格納し、Ｓ４ステップへ処理を進める。尚、Ｓ３ステップにおいて、相手側のファクシミリ番号を記憶部９に格納しておき、後ほど着信があったときに、記憶部９に格納したファクシミリ番号が電話帳メモリ３に格納されているか否かを見る構成としても良い。
【００３０】
Ｓ４ステップでファクシミリ機能制御装置１は、ファクシミリ送信が完了したと判定するとＳ５ステップへ処理を進め、Ｓ５ステップにおいて計時部１０５のタイマＡによる所定時間（例えば１分）の計時をスタートさせＳ６ステップへ処理を進める。尚、この１分という時間は、ファクシミリ送信してから１分以内にファクシミリ送信した相手先からの着信があるか否かを見る為の時間である。
【００３１】
Ｓ６ステップではファクシミリ機能制御装置１は、着信検出部１４から電話着信があることを示す信号を検出すると共に発呼側の電話番号データをモデム１０８から検出すると、モデム１０８から検出した電話番号データを前記Ｓ３ステップで記憶部９に格納したファクシミリ送信先の電話番号と一致するか否かを見、一致すると判定した場合にはＳ１０ステップへ処理を進め、一方、着信検出部１４から電話着信があることを示す信号を検出しないか或いは、着信検出部１４から電話着信があることを示す信号を検出したが発呼側の電話番号データをモデム１０８から検出しない場合、或いは、モデム１０８から検出した電話番号データが前記Ｓ３ステップで記憶部９に格納したファクシミリ送信先の電話番号と一致しないと判定した場合には、Ｓ７ステップへ処理を進める。
【００３２】
Ｓ７ステップでは、ファクシミリ機能制御装置１は、前記Ｓ５ステップで計時開始したタイマＡが所定時間の計時を完了したと判定するとＳ８ステップへ処理を進め、そうでなければＳ６ステップへ処理を戻す。
【００３３】
Ｓ８ステップでは、ファクシミリ機能制御装置１は、計時部１０５のタイマＡをクリアしＳ９ステップへ処理を進める。
【００３４】
Ｓ９ステップでは、ファクシミリ機能制御装置１は、表示部５にファクシミリ送信が正常に終了したか否か不明である旨のメッセージ、例えば、「送信完了不明」を表示し処理を終了する。尚、ここで送信が失敗したことを示すメッセージ、例えば、「送信失敗」を表示部５に表示させる構成としても良い。
【００３５】
Ｓ１０ステップでは、ファクシミ制御装置１はスピーカ１６からの着信音の鳴動処理を開始しＳ１１ステップへ処理を進める。
【００３６】
Ｓ１１ステップでは、ファクシミリ機能制御装置１は、計時部１０５のタイマＡをクリアさせると共にタイマＢの計時をスタートさせる。尚、タイマＢは所定時間（例えば、２秒）を計時するものであり、より具体的には着信信号を受信した時間、或いは着信音を鳴動した時間を計時するものである。尚、ここで着信信号を受信した回数、或いは着信音を鳴動した回数を計測するようにしても良い。
【００３７】
Ｓ１２ステップでは、ファクシミリ機能制御装置１は、フック検出部１８からハンドセット８がオフフックされたことを示す信号を検出するとＳ１８ステップへ処理を進め、そうでなければＳ１３ステップへ処理を進める。
【００３８】
Ｓ１３ステップでは、ファクシミリ機能制御装置１は、着信検出部１４から電話着信信号を検出したことを示す信号を受信しなくなった（スピーカ１６からの着信音の鳴動を停止した）と判定するとタイマＢをストップし、Ｓ１４ステップへ処理を進め、着信信号の検出が継続している（スピーカ１６からの着信音の鳴動が継続している）と判定するとＳ１２ステップへ処理を戻す。
【００３９】
Ｓ１４ステップでは、ファクシミリ機能制御装置１は、前記Ｓ１１ステップから計時を開始したタイマＢが所定時間（例えば、２秒）以下を計時したと判定するとＳ１５ステップへ処理を進め、そうでなければＳ１７ステップへ処理を進める。
【００４０】
Ｓ１５ステップでは、ファクシミリ機能制御装置１は、表示部５にファクシミリ送信が正常に行われたことを示すメッセージ（例えば、「ファクシミリ送信が成功しました」や「ファクシミリ送信が完了しました」）を表示させ、Ｓ１６ステップへ処理を進める。
【００４１】
Ｓ１６ステップでは、ファクシミリ機能制御装置１は、上記Ｓ１１ステップで計時を開始したタイマＢをクリアし処理を終了する。
【００４２】
Ｓ１７ステップでは、ファクシミリ機能制御装置１は、表示部５に発呼側の電話番号と着信があった旨の表示を行い、Ｓ１６ステップへ処理を進める。
【００４３】
Ｓ１８ステップでは、ファクシミリ機能制御装置１は、スピーカ１６からの着信音の鳴動を停止させＳ１９ステップへ処理を進め、Ｓ１９ステップにおいて、計時部１０５のタイマＡとタイマＢをクリアしＳ２０ステップへ処理を進める。
【００４４】
Ｓ２０ステップでは、ファクシミリ機能制御装置１は、クロスポイントＩＣ１１を制御することにより回線２０側とハンドセット８側を接続させＳ２１ステップへ処理を進め、Ｓ２１ステップで通話終了処理を行ない、処理を終了する。
【００４５】
このように、本実施例装置のファクシミリ装置はファクシミリ送信側として動作する場合には、ファクシミリ送信後所定時間以内にファクシミリ送信した相手側からの着信があると、相手側がファクシミリを受信したことを示すメッセージを表示部に表示する為、ファクシミリ送信が正常に行われたことをユーザが容易に知ることが可能である。
【００４６】
次に、ファクシミリ受信側の動作を説明する。図５は本発明を適用してなる実施例装置であるファクシミリ装置のファクシミリ受信時の動作を示すフロー図である。
【００４７】
Ｓ５１ステップにおいて、ファクシミリ機能制御装置１は、着信検出部１４から着信信号があることを示す信号を検出すると、リレー駆動回路１３を駆動させることによりスイッチ１２をオンし、続いてモデム１０８を制御することにより回線からのファクシミリ制御信号を受信させて、Ｓ１2ステップにおいてファクシミリの受信動作を実行させる。Ｓ１２ステップでは、ファクシミリ機能制御装置１は、モデム１０８で受信した画情報を符号化・復号化部で復号化させて、復号化されたデータを記憶部９に格納させるか印字部６で印字させる。尚、Ｓ５１ステップおいて、ファクシミリ機能制御装置１は、Ｓ５１、Ｓ５２ステップで受信した発呼側のファクシミリ番号と電話帳メモリ３に格納されているファクシミリ番号を比較し、一致するファクシミリ番号に対応する電話番号を電話帳メモリ３から読み出し、記憶部９に一時的に格納する。
【００４８】
Ｓ５３ステップでは、ファクシミリ機能制御装置１は、ファクシミリ受信が完了したと判定するとＳ５４ステップへ処理を進め、そうでなければＳ５２ステップへ処理を戻す。
【００４９】
Ｓ５４ステップでは、ファクシミリ機能制御装置１は、計時部１０５のタイマＣを駆動させることにより、所定時間（例えば１分）の計時を開始させる。尚、タイマＣはダイヤル後に次に自動的にリダイヤルを行う為の期間を計時するためのタイマである。
【００５０】
Ｓ５５ステップでは、ファクシミリ機能制御装置１は、前記Ｓ５２ステップで記憶部９に格納した電話番号をダイヤラ１０９を用いてダイヤル発信させ、Ｓ５６ステップへ処理を進める。
【００５１】
Ｓ５６ステップでは、ファクシミリ機能制御装置１は、相手側が通話中であると判定するとＳ５７ステップへ処理を進め、そうでなければＳ６３ステップへ処理を進める。
【００５２】
Ｓ５７ステップでは、ファクシミリ機能制御装置１は、リレー駆動回路１３を制御することによりスイッチ１２をオフし、回線を断とし、Ｓ５８ステップへ処理を進める。
【００５３】
Ｓ５８ステップでは、ファクシミリ機能制御装置１は、前記Ｓ５４ステップでカウントを開始したタイマＣがカウントアップしたと判定するとＳ５９ステップへ処理を進める。
【００５４】
Ｓ５９ステップでは、ファクシミリ機能制御装置１は、前記Ｓ５５ステップでダイヤルした相手先へリダイヤルを行うようにダイヤラ１０９を制御し、Ｓ６０ステップへ処理を進める。
【００５５】
Ｓ６０ステップでは、ファクシミリ機能制御装置１は、相手側が通話中であると判定するとＳ６１ステップへ処理を進め、そうでなければＳ６３ステップへ処理を進める。
【００５６】
Ｓ６１ステップでは、ファクシミリ機能制御装置１は、リレー駆動回路１３を制御することにより回線を断とし、Ｓ６２ステップへ処理を進める。
【００５７】
Ｓ６２ステップでは、ファクシミリ機能制御装置１は、タイマＣをリスタートさせ、Ｓ５８ステップへ処理を戻す。
【００５８】
Ｓ６３ステップでは、計時部１０５のタイマＤの所定時間（例えば２秒）の計時を開始させ、Ｓ６４ステップへ処理を進める。尚、タイマＤは相手側に呼出音を送出する回数（時間）をカウントするためのタイマである。
【００５９】
Ｓ６４ステップでは、ファクシミリ機能制御装置１は、前記Ｓ６３ステップでタイマＤが所定時間の計時を開始してから所定時間が経過した（所定回数の着信音が相手側から鳴動された）と判定するとＳ６５ステップへ処理を進める。
【００６０】
Ｓ６５ステップでは、ファクシミリ機能制御装置１は、計時部１０５のタイマＣとタイマＤをクリアし、処理を終了する。
【００６１】
Ｓ６６ステップでは、ファクシミリ機能制御装置１は、回線を断とするようにリレー駆動回路１３を制御し、処理を終了する。
【００６２】
尚、図５に示すフロー図において、着信やファクシミリ受信といった割り込み動作が実際にはあるが省略している。
【００６３】
このように、本実施例装置を受信側のファクシミリ装置として使用した場合には、ファクシミリ受信を行った後の所定時間以内に、ファクシミリ送信側に自動的に発呼を行う。この為、自動的な電話発呼により送信側ファクシミリ装置に対してファクシミリ受信が成功したことを自動的に連絡することが可能である。
【００６４】
尚、本実施例装置では、ファクシミリ受信後自動的に発呼を行う構成としたが、ファクシミリ受信後に自動的にファクシミリ送信側に対して返信用のファクシミリ送信を行う構成としても良い。この場合、返信用ファクシミリのファクシミリ受信側は、ファクシミリ送信が成功したと判定し、その旨をユーザに報知するようにすることができる。
【００６５】
又、以下の構成としても良い。例えば、ファクシミリ送信側がファクシミリ送信を行ってから所定時間以内に着信があり、又その着信信号の受信期間（又は着信音の鳴動期間）が所定の期間である場合には、ファクシミリ送信が完了（成功）したことを報知する構成としても良い。又は、ファクシミリ送信側がファクシミリ送信を行ってから所定時間以内に着信があり、又その着信信号の受信期間に係らず着信信号を受信すればファクシミリ送信が成功したことを報知する構成としても良い。
【図面の簡単な説明】
【００６６】
【図１】本発明を適用してなるファクシミリ装置を用いたシステムブロック図である。
【図２】本発明を適用してなるファクシミリ装置のブロック図である。
【図３】ファクシミリ機能制御装置の機能ブロック図である。
【図４】ファクシミリ送信側の動作を示すフロー図である。
【図５】ファクシミリ受信側の動作を示すフロー図である。
【符号の説明】
【００６７】
１・・・・ファクシミリ機能制御装置
３・・・・電話帳メモリ
９・・・・記憶部
【図１】
2009049748.tif 000003
【図２】
2009049748.tif 000004
【図３】
2009049748.tif 000005
【図４】
2009049748.tif 000006
【図５】
2009049748.tif 000007